(57)【要約】【課題】ユーザが撮影操作の直前に撮像設定を変更する際、撮像設定の変更操作にかかる負担を軽減させること。【解決手段】撮像装置１は、撮像部１６と、操作情報取得部５３と、撮影制御部５４と、画像記憶部７１と、記憶制御部５６と、を備える。撮像部１６は、被写体を撮像し、画像データを取得する。操作情報取得部５３とは本撮像装置１に関連する所定の箇所へのユーザ操作のパターンの情報を取得する。操作情報取得部５３と、所定の箇所におけるユーザ操作が解除されたか否かを判定する。撮影制御部５４とは、操作情報取得部５３により取得されたユーザ操作のパターンの情報に基づき、撮像部１６により撮像される被写体の撮影条件の変更を行う。記憶制御部５６操作情報取得部５３によりユーザ操作が解除されたと判定された場合、撮影制御部５４により変更された撮影条件で撮像部１６により取得された画像データを画像記憶部７１に記憶させる。【選択図】図５
2016126160.tif 000002
【特許請求の範囲】
【請求項１】
被写体を撮像し、画像データを取得する撮像手段と、
本撮像装置に関連する所定の箇所へのユーザ操作のパターンの情報を取得する情報取得手段と、
前記情報取得手段により取得された前記ユーザ操作のパターンの情報に基づき、前記撮像手段により撮像される被写体の撮影条件の変更を行う変更手段と、
前記所定の箇所におけるユーザ操作が解除されたか否かを判定する第１の判定手段と、
前記第１の判定手段により前記ユーザ操作が解除されたと判定された場合、前記変更手段により変更された撮影条件で前記撮像手段により取得された画像データを記録手段に記録させる記録制御手段と、
を備えたことを特徴とする撮像装置。
【請求項２】
本撮像装置に関連する所定の箇所へのユーザ操作を検出する検出手段と、
前記検出手段により検出された前記ユーザ操作のパターンを判定する第２の判定手段と、
を更に備え、
前記情報取得手段は、前記第２の判定手段により判定された前記ユーザ操作のパターンを前記ユーザ操作のパターンの情報として取得する、
ことを特徴とする請求項１に記載の撮像装置。
【請求項３】
前記第２の判定手段は、前記所定の箇所への前記ユーザ操作のパターンが、前記所定の箇所に対して、第１の方向へのスライド操作か当該第１の方向とは異なる第２の方向へのスライド操作であるかを判定する、
ことを特徴とする請求項２に記載の撮像装置。
【請求項４】
前記変更手段は、前記所定の箇所へのユーザ操作のパターンが、前記所定の箇所に対して、前記第１の方向と前記第２の方向との中間の方向へのスライド操作であった場合、前記第１の方向へのスライド操作と前記第２の方向へのスライド操作との夫々に対応した撮影条件を変更する、
ことを特徴とする請求項３に記載の撮像装置。
【請求項５】
前記変更手段は、前記第２の判定手段による前記所定の箇所への前記ユーザ操作のパターンの判定結果に基づいて、前記判定結果に対応した撮影条件を変更する、
ことを特徴とする請求項２乃至４の何れか１項に記載の撮像装置。
【請求項６】
前記変更手段は、変更される撮影条件としてズーム倍率、及び焦点距離を用いる、
ことを特徴とする請求項２乃至５の何れか１項に記載の撮像装置。
【請求項７】
前記変更手段は、前記所定の箇所内で前記ユーザ操作が前記検出手段により継続的に検出されている状態で当該所定の箇所内における前記ユーザ操作が前記検出手段により検出される位置の移動距離に応じた強さで、前記撮影条件を変更する、
ことを特徴とする請求項２乃至６の何れか１項に記載の撮像装置。
【請求項８】
前記撮像手段により逐次取得される被写体の画像データに対応するライブビュー画像を表示手段に表示させる表示制御手段と、
を更に備え、
前記検出手段は、更に、前記表示制御手段により前記ライブビュー画像が表示される前記表示手段が備える前記所定の箇所へのユーザ操作を検出する、
ことを特徴とする請求項２乃至７の何れか１項に記載の撮像装置。
【請求項９】
前記表示制御手段は、更に、前記変更手段によって撮影条件が変更される場合、当該撮影条件の情報を前記表示手段に表示させる、
ことを特徴とする請求項８に記載の撮像装置。
【請求項１０】
前記表示制御手段は、更に、前記撮影条件の情報として、前記変更される撮影条件の種類の名称と、前記変更される撮影条件の数値と、を前記表示手段に表示させる、
ことを特徴とする請求項８又は９に記載の撮像装置。
【請求項１１】
前記変更手段によって前記撮影条件が変更された後、前記検出手段により前記所定の箇所へ複数の指を用いたユーザ操作が検出されたか否かを判定する第３の判定手段と、
前記第３の判定手段により前記所定の箇所へ複数の指を用いたタッチ操作が検出されたと判定された場合、前記撮影条件を初期化する設定初期化手段を備える、
ことを特徴とする請求項２乃至１０の何れか１項に記載の撮像装置。
【請求項１２】
前記記録制御手段は、更に前記第１の判定手段によって前記所定の箇所の特定の領域内でユーザ操作が解除されたと判定された場合、前記撮像手段によって撮像された画像データを記録手段に記録させない、
ことを特徴とする請求項１乃至１１の何れか１項に記載の撮像装置。
【請求項１３】
前記変更手段により撮影条件が変更された後、更に前記第１の判定手段によって前記所定の箇所の特定の領域内でユーザ操作が解除されたと判定された場合、変更された撮影条件を保持する設定保持手段を備える、
ことを特徴とする請求項１乃至１１の何れか１項に記載の撮像装置。
【請求項１４】
被写体を撮像し、画像データを取得する撮像手段と、記録手段と、を備える撮像装置で実行される撮像制御方法であって、
本撮像装置に関連する所定の箇所へのユーザ操作のパターンの情報を取得する情報取得ステップと、
前記情報取得ステップにより取得された前記ユーザ操作のパターンの情報に基づき、前記撮像手段により撮像される被写体の撮影条件の変更を行う変更ステップと、
前記所定の箇所におけるユーザ操作が解除されたか否かを判定する第１の判定ステップと、
前記第１の判定ステップにより前記ユーザ操作が解除されたと判定された場合、前記変更ステップにより変更された撮影条件で前記撮像手段により取得された画像データを記録手段に記録させる記録制御ステップと、
を備えたことを特徴とする撮像制御方法。
【請求項１５】
被写体を撮像し、画像データを取得する撮像手段と、記録手段と、を備える撮像装置を制御するコンピュータを、
本撮像装置に関連する所定の箇所へのユーザ操作のパターンの情報を取得する情報取得手段、
前記情報取得手段により取得された前記ユーザ操作のパターンの情報に基づき、前記撮像手段により撮像される被写体の撮影条件の変更を行う変更手段、
前記所定の箇所におけるユーザ操作が解除されたか否かを判定する第１の判定手段、
前記第１の判定手段により前記ユーザ操作が解除されたと判定された場合、前記変更手段により変更された撮影条件で前記撮像手段により取得された画像データを記録手段に記録させる記録制御手段、
として機能させることを特徴とするプログラム。
【発明の詳細な説明】
【技術分野】
【０００１】
本発明は、撮像装置、撮像制御方法及びプログラムに関する。
【背景技術】
【０００２】
従来、タッチパネルへのタッチ操作が検出された後、そのタッチ操作が解除されたことを撮影操作として、撮像処理を行う技術がある（特許文献１を参照）。
【先行技術文献】
【特許文献】
【０００３】
【特許文献１】特開２０１３−１７０８８号公報
【発明の概要】
【発明が解決しようとする課題】
【０００４】
しかしながら、上述した特許文献１に記載された技術では、ユーザが撮影操作の直前に撮像設定を変更しようとするとき、複雑な撮像設定の変更操作を行う必要があり、撮像操作まで余計な時間がかかる虞があった。
【０００５】
本発明は、かかる問題に鑑みてなされたものであり、ユーザの撮像操作までにかかる時間を軽減させることを目的とする。
【課題を解決するための手段】
【０００６】
上記目的を達成するため、本発明の一態様の撮像装置は、
被写体を撮像し、画像データを取得する撮像手段と、
本撮像装置に関連する所定の箇所へのユーザ操作のパターンの情報を取得する情報取得手段と、
前記情報取得手段により取得された前記ユーザ操作のパターンの情報に基づき、前記撮像手段により撮像される被写体の撮影条件の変更を行う変更手段と、
前記所定の箇所におけるユーザ操作が解除されたか否かを判定する第１の判定手段と、
前記第１の判定手段により前記ユーザ操作が解除されたと判定された場合、前記変更手段により変更された撮影条件で前記撮像手段により取得された画像データを記録手段に記録させる記録制御手段と、
を備えたことを特徴とする。
【発明の効果】
【０００７】
本発明によれば、ユーザの撮像操作までにかかる時間を軽減させることができる。
【図面の簡単な説明】
【０００８】
【図１】本発明の一実施形態に係る撮像装置のハードウェアの構成を示すブロック図である。
【図２】本実施形態における撮影パラメータの変更及び撮影指示を説明するための模式図である。
【図３】操作画面における表示領域を説明するための模式図である。
【図４】操作画面でのガイド表示の例を示す模式図である。
【図５】図１の撮像装置の機能的構成のうち、撮影処理を実行するための機能的構成を示す機能ブロック図である。
【図６】図２の機能的構成を有する図１の撮像装置が実行する撮影処理の流れを説明するフローチャートである。
【図７】撮影処理のうち、ズーム・フォーカス処理の流れを説明するフローチャートである。
【図８】本実施形態における撮影パラメータ変更の変更及び撮影指示の他の例を説明するための模式図である。
【発明を実施するための形態】
【０００９】
以下、本発明の実施形態について、図面を用いて説明する。
【００１０】
図１は、本発明の一実施形態に係る撮像装置のハードウェアの構成を示すブロック図である。
撮像装置１は、例えばデジタルカメラとして構成される。
【００１１】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１８】
入力部１７は、各種ボタン等で構成され、ユーザの指示操作に応じて各種情報を入力する。本実施形態においては、入力部１７と出力部１８とで、タッチパネルを構成する。タッチパネルを構成する入力部１７は、例えば出力部１８の表示画面に積層される静電容量式又は抵抗膜式の位置入力センサにより構成され、タッチ操作がなされた位置の座標を検出する。ここで、タッチ操作とは、タッチパネルを構成する入力部１７に対する物体（ユーザの指やタッチペン等）の接触又は近接の操作をいう。また、タッチ操作では、単なる接触・非接触の操作だけではなく、接触時間の長さ、接触距離の長さ、接触した強さ等の操作も検出する。
【００１９】
出力部１８は、ディスプレイやスピーカ等で構成され、画像や音声を出力する。また、本実施形態では、入力部１７とディスプレイとして構成される出力部１８とにより、タッチパネル画面が構成されている。
【００２０】
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００２１】
通信部２０は、インターネットを含むネットワークを介して他の装置（図示せず）との間で行う通信を制御する。
【００２２】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２３】
このように構成される撮像装置１では、ユーザが撮像結果をリアルタイムで表示しているライブビュー画像を確認しながら、タッチ解除操作で撮影指示を行うことができる機能を有する。さらに、撮像装置１では、タッチ操作中に、ユーザがスライド操作を行うことで、撮影条件であるズームやフォーカス等の撮影パラメータを変更することができ、撮影パラメータの変更結果をライブビュー画像で確認することができる機能を有する。
【００２４】
図２は、本実施形態における撮影パラメータの変更及び撮影指示を説明するための模式図である。
本実施形態の撮像装置１では、図２（ａ），（ｂ）に示すように、タッチパネル上に指を置いた状態（以下、「タッチ操作状態」という。）で、上下方向に指を移動させる操作（以下、「スライド操作」）をすることで、上から下方向へのスライド操作では焦点距離が短くなり、下から上方向へのスライド操作では焦点距離が長くなるようにフォーカス位置が変更される。即ち、図２（ａ），（ｂ）に示すように一般的な写真の構図では、画像の下側よりも上側の方が被写体との距離が離れる傾向にある。したがって、遠くから近くに指を移動させるように上から下にスライド操作させることで、手前にフォーカス位置がくるように動作する。
このように、ユーザ視点で画像の奥から手前に指を移動させるように、タッチパネル上で行う上から下方向へのスライド操作で、焦点距離を短くし、ユーザ視点で画像の手前から奥に指を移動させるように、タッチパネル上で行う下から上方向へのスライド操作で、焦点距離を長くするように操作を割り当てることで、ユーザの操作の感覚と連動して撮影パラメータが変更されて、即時ライブビュー画像として表示されるために、ユーザは直感的なフォーカス位置変更操作を行うことができる。
【００２５】
また、タッチ操作状態で、図２（ｂ），（ｃ）に示すように、ユーザが左右方向に指をスライド操作することで、左から右方向へのスライド操作ではズーム倍率を拡大し、右から左方向へのスライド操作ではズーム倍率を縮小するようにズーム倍率が変更される。
このように、左から右方向へのスライド操作で、ズームインし、右から左方向へのスライド操作で、ズームアウトするように操作を割り当てることで、一般的な撮像装置の操作ボタンと同様の操作方向での動作となるため、従来からの操作イメージを変えることなくユーザはズーム操作を行うことができる。
なお、フォーカスやズームの撮影パラメータの変更量は、スライド量（移動量）やスライドの速度（移動速度）によって変更するように構成する。即ち、撮影パラメータの変更量は、例えば、スライド量（移動量）が多ければ変更量が多くなったり、スライドの速度（移動速度）が速ければ変更量が多くなったりするように構成する。
【００２６】
その後、ユーザが指を離してタッチ操作を解除（以下、「タッチ解除操作」という。）すると、撮像画像が出力されて記憶される撮影処理が行われる。
したがって、撮像装置１では、タッチパネルへの操作で、撮影パラメータの変更と、撮影指示とを行えるため、ユーザは撮影パラメータの変更を行うための機能の呼び出し等の特別な設定操作を行う必要がなく撮影を行うことができる。また、ライブビュー画面上での所定の操作で撮影パラメータの変更を行うことができるために、例えば、撮影パラメータの変更アイコン等を表示させて当該アイコン等への操作を行う等の操作における制約を設ける必要がないために、撮像設定の変更操作にかかるユーザの負担を軽減させることができる。
【００２７】
また、撮像装置１のタッチパネルを構成する入力部１７及び出力部１８（操作画面）においては、図３に示すように、入力領域と、表示領域Ｒ１とが対応しており、表示領域Ｒ１内の所定の位置にライブビュー画像表示領域Ｒ２が設けられる。
本実施形態においては、本撮像装置はライブビュー画像表示領域Ｒ２への各種タッチ操作で撮影パラメータの変更及び撮影指示を行うように構成する。本撮像装置ではライブビュー画像表示領域Ｒ２外への表示領域Ｒ１での各種タッチ操作では、撮像部１６に対して、撮像画像の出力／記憶を行わないように制御し、撮影を中断したり、それ以前の各種タッチ操作での撮影パラメータの設定を保持して、撮影パラメータの変更及び撮影指示の制御処理を中断したりするように構成する。
なお、図３は、操作画面における表示領域Ｒ１を説明するための模式図である。
【００２８】
また、撮像装置１では、出力部１８の操作画面においてガイド表示を表示する。
図４は、操作画面でのガイド表示の例を示す模式図である。
ガイド表示は、例えば、操作方法をガイドする表示と、操作結果をガイドする表示とを設ける。
具体的には、ガイド表示は、図４（ａ）の例に示すように、ズームとフォーカスの撮影パラメータの変更の操作方法が示される。左右方向のスライド操作がズーム倍率の変更の操作であり、左方向のスライド操作がズーム倍率の縮小操作であり、右方向のスライド操作がズーム倍率の拡大操作であることを示すガイドが表示される。また、上下方向のスライド操作がフォーカスの焦点距離変更の操作であり、上方向のスライド操作で焦点距離が長くなり、下方向のスライド操作で焦点距離が短くなることを示すガイドが表示される。
また、別のガイド表示としては、図４（ｂ）の例に示すように、右方向のスライド操作をした場合には、操作前のズーム倍率と操作後の拡大したズーム倍率の値を示すガイドが表示される。さらに、図４（ｃ）の例に示すように、上方向のスライド操作をした場合には、操作前の焦点距離と操作後の焦点距離が長くなった値を示すガイドが表示される。
また、左方向、下方向へのスライド操作を行った場合にも、夫々に対応したガイドが表示される。
【００２９】
図５は、このような撮像装置１の機能的構成のうち、撮影処理を実行するための機能的構成を示す機能ブロック図である。
「撮影処理」とは、撮像装置１がライブビュー表示を行っている状態で、ユーザによるタッチ操作の検出結果に応じて、撮影パラメータを変更し、タッチ操作を解除することで撮像処理を実行する一連の処理をいう。
【００３０】
撮影処理を実行する場合には、図５に示すように、ＣＰＵ１１において、入力検出部５１と、モード設定部５２と、操作情報取得部５３と、撮影制御部５４と、出力制御部５５と、記憶制御部５６と、が機能する。
また、記憶部１９の一領域には、画像記憶部７１が設定される。
画像記憶部７１には、撮像部１６から出力された撮像画像のデータが記憶される。
【００３１】
入力検出部５１は、タッチパネルを構成する入力部１７へのユーザによる操作を検出する。即ち、入力検出部５１は、入力部１７に対するタッチ操作、スライド操作、タッチ解除操作等の各種操作を検出する。
【００３２】
モード設定部５２は、入力検出部５１による入力部１７に対するユーザによるモード設定の操作の検出で、撮影パラメータの変更と、撮影指示を行うモード（以下、「連続ＵＩモード」という。）を設定する。
【００３３】
操作情報取得部５３は、入力検出部５１によって検出された入力部１７へのユーザによる操作のうち、タッチ操作やタッチ解除操作の検出結果を操作情報として取得する。
また、操作情報取得部５３は、入力検出部５１によって検出された入力部１７への操作のパターンを判定する。具体的には、操作情報取得部５３は、入力検出部５１によって検出された入力部１７への操作が撮影パラメータを変更する操作である左右方向のスライド操作のパターンか、上下方向のスライド操作のパターンであるかを操作情報として取得する。
【００３４】
撮影制御部５４は、例えば、起動中や撮像処理中等の場合を鑑みて、撮像部１６撮影が可能な状態であるか否かを判定する。
【００３５】
撮影制御部５４は、入力検出部５１での入力部１７に対する操作の検出結果に応じて、撮像部１６に対して制御を行う。具体的には、撮影制御部５４は、操作情報取得部５３からの入力検出部５１での入力部１７に対する操作の検出結果である操作情報に基づいて、撮影パラメータの変更や撮影指示等の制御を撮像部１６に対して行う。
【００３６】
具体的には、撮影制御部５４は、図２に示すように、操作情報取得部５３からの操作情報により、入力検出部５１によって、タッチ解除操作が検出された場合には、撮影処理を実行して、撮像画像を出力するように撮像部１６を制御する。
【００３７】
また、撮影制御部５４は、操作情報取得部５３からの操作情報により、入力検出部５１によって、上下方向のスライド操作が検出された場合には、フォーカス位置を変更するように撮像部１６を制御する。詳細には、撮影制御部５４は、図２に示すように、入力検出部５１によって、上から下方向へのスライド操作が検出された場合には、フォーカス位置を手前に変更するように撮像部１６を制御する。また、撮影制御部５４は、入力検出部５１によって、下から上方向へのスライド操作が検出された場合には、フォーカス位置を奥に変更するように撮像部１６を制御する。
【００３８】
また、撮影制御部５４は、操作情報取得部５３からの操作情報により、入力検出部５１によって、左右方向のスライド操作が検出された場合には、ズームを変更するように撮像部１６を制御する。詳細には、撮影制御部５４は、図２に示すように、入力検出部５１によって、左から右方向へのスライド操作が検出された場合には、ズーム倍率を上げるように撮像部１６を制御する。また、撮影制御部５４は、入力検出部５１によって、右から左方向へのスライド操作が検出された場合には、ズーム倍率を下げるように撮像部１６を制御する。
【００３９】
ここで、撮影制御部５４は、操作情報取得部５３からの操作情報により、スライド操作後に、タッチ操作を維持したまま、再度スライド操作をした場合には、図２に示すように、さらにスライド操作に応じた撮影パラメータの変更を行う。撮影制御部５４は、最終的にタッチ解除操作がされた時点で、撮像処理を実行させる。
【００４０】
また、撮影制御部５４は、図３に示すように、操作情報取得部５３からの操作情報により、入力検出部５１によって、ライブビュー画像表示領域Ｒ２以外の表示領域Ｒ１においてタッチ解除操作がされたことが検出された場合には、撮像部１６に対して、撮像画像の出力／記憶を行わないように制御し、撮影を中断したり、フォーカス及びズームの撮影パラメータを保持して、撮像部１６への処理を中断したりするように構成する。
【００４１】
また、撮影制御部５４は、操作情報取得部５３からの操作情報により、入力検出部５１によって、素早く２回のタッチ操作（以下、「ダブルタップ操作」という。）が検出された場合には、フォーカス及びズームの撮影パラメータを初期化して、デフォルトの状態に戻すように撮像部１６を制御する。
【００４２】
出力制御部５５は、撮像部１６から逐次出力されるライブビュー画像を逐次表示出力するように出力部１８を制御する。また、出力制御部５５は、スライド操作前には図４（ａ）の例で示すようなガイド表示をライブビュー画像上に表示出力し、スライド操作後には図４（ａ）の例で示すようなガイド表示をライブビュー画像上に表示出力するように出力部１８を制御する。
【００４３】
記憶制御部５６は、操作情報取得部５３からの操作情報によりタッチ解除操作があった場合に、撮像部１６から出力された撮像画像を記憶させるように画像記憶部７１を制御する。
【００４４】
図６は、図５の機能的構成を有する図１の撮像装置が実行する撮影処理の流れを説明するフローチャートである。
撮影処理は、ユーザによる入力部１７への撮影処理開始の操作を入力検出部５１により検出することで開始される。
【００４５】
ステップＳ１１において、ユーザによる入力部１７への連続ＵＩモード設定操作が入力検出部５１によって検出された場合、モード設定部５２は、撮像装置１のモードを連続ＵＩモードに設定する。これにより、ユーザは撮影パラメータの変更や撮影指示をタッチパネルでの操作で行うことができる状態となる。その後、撮影制御部５４は、ライブビュー表示用の画像を撮像させるように撮像部１６を制御する。
【００４６】
ステップＳ１２において、出力制御部５５は、ライブビュー表示を開始するように出力部１８を制御する。
【００４７】
ステップＳ１３において、撮影制御部５４は、撮像装置１が撮影可能状態であるか否かを判定する。
撮影可能状態でない場合には、ステップＳ１３においてＮＯと判定されて、待機状態となる。
撮影可能状態である場合には、ステップＳ１３においてＹＥＳと判定されて、処理はステップＳ１４に進む。
【００４８】
ステップＳ１４において、撮影制御部５４は、操作情報取得部５３を介して、入力検出部５１が検出した入力部１７へのユーザによる操作に関する情報を取得し、取得された該操作情報がタッチ状態（タッチ操作）であるか否かを判定する。
タッチ状態である場合には、ステップＳ１４においてＹＥＳと判定されて、処理はステップＳ１５に進む。
タッチ状態でない場合には、ステップＳ１４においてＮＯと判定されて、処理はステップＳ１３に戻る。
【００４９】
ステップＳ１５において、撮影制御部５４は、操作情報取得部５３を介して、入力検出部５１が検出した入力部１７へのユーザによる操作に関する情報を取得し、取得された該操作情報がダブルタップであるか否かを判定する。
ダブルタップである場合には、ステップＳ１５においてＹＥＳと判定されて、処理はステップＳ１６に進む。
ダブルタップでない場合には、ステップＳ１５においてＮＯと判定されて、処理はステップＳ１７に進む。
【００５０】
ステップＳ１６において、撮影制御部５４は、ズームとフォーカスに関する撮影パラメータを初期化するように撮像部１６を制御する。
【００５１】
ステップＳ１７において、撮影制御部５４は、操作情報取得部５３を介して、入力検出部５１が検出した入力部１７へのユーザによる操作に関する情報を取得し、取得された該操作情報がタッチ状態の解除（タッチ解除操作）か否かを判定する。
タッチ状態が解除された場合には、ステップＳ１７においてＹＥＳと判定されて、処理はステップＳ１９に進む。
タッチ状態が解除されていない場合には、ステップＳ１７においてＮＯと判定されて、処理はステップＳ１８に進む。
【００５２】
ステップＳ１８において、撮影制御部５４は、ズーム・フォーカス処理を実行する。ズーム・フォーカス処理が実行された結果、ズームやフォーカスの撮影パラメータが変更される。ズーム・フォーカス処理の詳細な流れについては後述する。
【００５３】
ステップＳ１９において、操作情報取得部５３は、入力検出部５１が検出した入力部１７へのユーザによる操作に関する情報を取得し、取得された該操作情報が表示画面Ｒ２上での操作であるか否かを判定する。
表示画面Ｒ２上での操作である場合には、ステップＳ１９においてＹＥＳと判定されて、処理はステップＳ２１に進む。
表示画面Ｒ２上での操作でない場合には、ステップＳ１９においてＮＯと判定されて、処理はステップＳ２０に進む。
【００５４】
ステップＳ２０において、撮影制御部５４は、撮像部１６に対して、撮像画像の出力／記憶を行わないように制御し、変更されたズーム倍率とフォーカスの情報（撮影条件）を一時的に保存し、撮影処理を中断する。その後、処理はステップＳ１４に戻る。
【００５５】
ステップＳ２１において、撮影制御部５４は、タッチ状態の解除（タッチ解除操作）を撮影指示として、設定された撮影パラメータで撮像処理を実行するように撮像部１６を制御する。具体的には、撮影制御部５４は、撮像画像を出力するように撮像部１６を制御し、記憶制御部５６は、当該撮像画像を記憶させるように画像記憶部７１を制御する。
【００５６】
ステップＳ２２において、操作情報取得部５３は、入力検出部５１が検出した入力部１７へのユーザによる操作に関する情報を取得し、取得された該操作情報が終了操作であったか否かを判定する。
終了操作でない場合には、ステップＳ２２においてＮＯと判定されて、処理はステップＳ１３に戻る。
終了操作であった場合には、ステップＳ２２においてＹＥＳと判定されて、撮影処理は終了する。
【００５７】
図７は、撮影処理のうち、ズーム・フォーカス処理の流れを説明するフローチャートである。
【００５８】
ステップＳ４１において、操作情報取得部５３は、入力検出部５１が検出した入力部１７へのユーザによる操作に関する情報を取得し、取得された該操作情報が左右方向のスライド操作であるか否かを判定する。
左右方向のスライド操作である場合には、ステップＳ４１においてＹＥＳと判定されて、処理はステップＳ４２に進む。
左右方向のスライド操作でない場合には、ステップＳ４１においてＮＯと判定されて、処理はステップＳ４５に進む。
【００５９】
ステップＳ４２において、操作情報取得部５３は、入力検出部５１が検出した入力部１７へのユーザによる操作に関する情報を取得し、取得された該操作情報が表示画面外での操作であるか否かを判定する。
表示画面外での操作である場合には、ステップＳ４２においてＹＥＳと判定されて、処理はステップＳ４３に進む。
表示画面外での操作でない場合には、ステップＳ４２においてＮＯと判定されて、処理はステップＳ４４に進む。
【００６０】
ステップＳ４３において、撮影制御部５４は、撮像部１６への制御を中断する。撮影制御部５４は、制御の中断にあたり、現状のズーム倍率とフォーカスの情報（撮影条件）を一時的に保存し、処理は終了する。
【００６１】
ステップＳ４４において、撮影制御部５４は、ズーム処理を実行するように撮像部１６を制御する。具体的には、撮影制御部５４は、操作情報取得部５３が取得した操作情報に基づいた値となるようにズーム倍率を変更するように撮像部１６を制御し、処理は終了する。
【００６２】
ステップＳ４５において、操作情報取得部５３は、入力検出部５１が検出した入力部１７へのユーザによる操作に関する情報を取得し、取得された該操作情報が上下方向のスライド操作であるか否かを判定する。
上下方向のスライド操作である場合には、ステップＳ４５においてＹＥＳと判定されて、処理はステップＳ４６に進む。
上下方向のスライド操作がない場合には、ステップＳ４５においてＮＯと判定されて、処理は終了する。
【００６３】
ステップＳ４６において、操作情報取得部５３は、入力検出部５１が検出した入力部１７へのユーザによる操作に関する情報を取得し、取得された該操作情報が表示画面外での操作であるか否かを判定する。
表示画面外での操作である場合には、ステップＳ４６においてＹＥＳと判定されて、処理はステップＳ４７に進む。
表示画面外での操作でない場合には、ステップＳ４６においてＮＯと判定されて、処理はステップＳ４８に進む。
【００６４】
ステップＳ４７において、撮影制御部５４は、撮像部１６への制御を中断する。撮影制御部５４は、制御の中断にあたり、現状のズーム倍率とフォーカスの情報（撮影条件）を一時的に保存する。その後、処理は終了する。
【００６５】
ステップＳ４８において、撮影制御部５４は、フォーカス処理を実行するように撮像部１６を制御する。具体的には、撮影制御部５４は、操作情報取得部５３が取得した操作情報に基づいた値となるように焦点距離を変更するように撮像部１６を制御する。その後、処理は終了する。
【００６６】
＜変形例＞
図８は、本実施形態における撮影パラメータ変更の変更及び撮影指示の他の例を説明するための模式図である。
【００６７】
上述した実施形態では、上下方向でのスライド操作、左右方向でのスライド操作のそれぞれの操作で、フォーカスとズームの撮影パラメータの変更を行うように構成したが、本例では、斜め方向へのスライド操作で撮影パラメータの変更を行うように構成する。即ち、フォーカスとズームの撮影パラメータの変更を１つのスライド操作で行うように構成する。
詳細には、撮影制御部５４は、左上から右下方向への斜めのスライド操作で、焦点距離を短くするフォーカス位置の変更と、ズーム倍率拡大処理を行い、逆に、右下から左上方向への斜めのスライド操作で、焦点距離を長くするフォーカス位置の変更と、ズーム倍率縮小処理を行う。
また、左下から右上方向への斜めのスライド操作で、焦点距離を長くするフォーカス位置の変更と、ズーム倍率拡大処理を行い、逆に、右上から左下方向への斜めのスライド操作で、焦点距離を短くするフォーカス位置の変更と、ズーム倍率拡大処理を行う。
【００６８】
なお、上述した変形例においても、ユーザ操作によって撮影パラメータを変更する際、表示部は、操作方法をガイドする表示と、操作結果をガイドする表示とを表示する。
【００６９】
以上のように構成される撮像装置１は、撮像部１６と、操作情報取得部５３と、撮影制御部５４と、画像記憶部７１と、記憶制御部５６と、を備える。
撮像部１６は、被写体を撮像し、画像データを取得する。
操作情報取得部５３とは本撮像装置１に関連する所定の箇所であるタッチパネル（入力部１７）へのユーザ操作のパターンの情報を取得する。操作情報取得部５３は、所定の箇所におけるユーザ操作が解除されたか否かを判定する。
撮影制御部５４は、操作情報取得部５３により取得されたユーザ操作のパターンの情報に基づき、撮像部１６により撮像される被写体の撮影条件の変更を行う。
記憶制御部５６は、操作情報取得部５３によりユーザ操作が解除されたと判定された場合、撮影制御部５４により変更された撮影条件で撮像部１６により取得された画像データを画像記憶部７１に記憶させる。
これにより、撮像装置１においては、ユーザ操作のパターンに基づいて、撮影条件の変更をし、ユーザ操作が解除によって撮影処理を行うため、ユーザが撮影操作の直前に撮像設定を変更する際、撮像設定の変更操作にかかる負担を軽減させることができる。
【００７０】
また、撮像装置１は、本撮像装置１に関連する所定の箇所であるタッチパネル（入力部１７）へのユーザ操作を検出する入力検出部５１と、入力検出部５１により検出されたユーザ操作のパターンを判定する操作情報取得部５３と、を更に備える。
操作情報取得部５３は、判定されたユーザ操作のパターンをユーザ操作のパターンの情報として取得する。
これにより、撮像装置１においては、ユーザが撮影操作の直前に撮像設定を変更する際、撮像設定の変更操作にかかる負担を軽減させることができる。
【００７１】
操作情報取得部５３は、所定の箇所へのユーザ操作のパターンが、所定の箇所に対して、第１の方向である鉛直方向へのスライド操作か当該第１の方向とは異なる第２の方向である水平方向へのスライド操作であるかを判定する。
これにより、撮像装置１においては、より簡単かつ直感的な操作で撮影条件の変更をすることができる。
【００７２】
撮影制御部５４は、所定の箇所へのユーザ操作のパターンが、所定の箇所に対して、第１の方向である鉛直方向と第２の方向である水平方向の中間の方向へのスライド操作であった場合、第１の方向である鉛直方向へのスライド操作と第２の方向である水平方向へのスライド操作との夫々に対応した撮影条件を変更する。
これにより、撮像装置１においてユーザはより簡単かつ直感的な操作で撮影条件の変更をすることができる。
【００７３】
撮影制御部５４は、操作情報取得部５３による所定の箇所へのユーザ操作のパターンの判定結果に基づいて、判定結果に対応した撮影条件を変更する。
これにより、撮像装置１においては、ユーザが撮影操作の直前に撮像設定を変更する際、撮像設定の変更操作にかかる負担を軽減させることができる。
【００７４】
撮影制御部５４は、変更される撮影条件としてズーム倍率、及び焦点距離を用いる。
これにより、撮像装置１においては、ズームやフォーカスの撮影パラメータを変更することができる。
【００７５】
撮影制御部５４は、所定の箇所内でユーザ操作が入力検出部５１により継続的に検出されている状態で当該所定の箇所内におけるユーザ操作が入力検出部５１により検出される位置の移動距離に応じた強さで、撮影条件を変更する。
これにより、撮像装置１においては、一回のタッチ操作で、撮影条件の変更と撮影が可能となり、移動距離に応じた強さで撮影条件を変更できるために、変更量を調整することができる。
【００７６】
また、撮像装置１は、撮像部１６により逐次取得される被写体の画像データに対応するライブビュー画像を出力部１８に表示させる出力制御部５５と、を更に備える。
入力検出部５１は、更に、出力制御部５５によりライブビュー画像が表示される出力部１８が備える所定の箇所へのユーザ操作を検出する。
これにより、撮像装置１においては、ユーザはタッチパネルでライブビュー画像を確認しながら操作を行うことができる。
【００７７】
出力制御部５５は、更に、撮影制御部５４によって撮影条件が変更される場合、当該撮影条件の情報を出力部１８に表示させる。
これにより、撮像装置１においては、撮影条件の変更結果をライブビュー画像で確認することができる。
【００７８】
出力制御部５５は、更に、撮影条件の情報として、変更される撮影条件の種類の名称と、変更される撮影条件の数値と、を出力部１８に表示させる。
これにより、撮像装置１においては、ユーザは撮影条件の情報を確認しながら操作を行うことができる。
【００７９】
記憶制御部５６は、更に操作情報取得部５３によって所定の箇所の特定の領域内でユーザ操作が解除されたと判定された場合、撮像部１６によって撮像された画像データを画像記憶部７１に記憶させない。
これにより、撮像装置１においては、タッチ操作をしながら、撮像処理をキャンセルすることができる。
【００８０】
撮影制御部５４により撮影条件が変更された後、更に操作情報取得部５３によって所定の箇所の特定の領域内でユーザ操作が解除されたと判定された場合、変更された撮影条件を保持する撮影制御部５４を備える。
これにより、撮像装置１においては、タッチ操作をしながら、撮影を中断することができ、中断前の状態で撮影を再開することができる。
【００８１】
なお、本発明は、上述の実施形態に限定されるものではなく、本発明の目的を達成できる範囲での変形、改良等は本発明に含まれるものである。
【００８２】
上述の実施形態では、撮像装置１が一体的に備える入力部１７に対する操作で、撮影指示及び撮影パラメータを変更するように構成したが、撮像装置本体と、別体の入力部１７や、外部装置からの該当操作の入力指示に基づいて、撮影指示及び撮影パラメータを変更するように構成してもよい。具体的には、例えば、外部装置から送信された操作情報を受信し、当該操作情報に基づいて、撮影の制御を行うように構成することができる。
【００８３】
上述の実施形態では、撮像装置１は、撮影制御部５４により、タッチ状態が解除されたか否かを判定して、撮影処理を行うように構成したが、タッチ操作が停止した場合にも撮影処理を行うように構成しても良い。
具体的には、撮像装置１は、撮影制御部５４が、操作情報取得部５３を介して、タッチ操作が停止したか否かの情報を取得し、取得された情報から撮影処理を行うか否かを判定するように構成してもよい。
【００８４】
上述の実施形態では、撮像装置１は、入力部１７のようなタッチパネルに対するタッチ操作により、撮影パラメータの変更や撮影処理を行うように構成したが、入力部１７に物理的な操作部材を備え、該操作部材に対するユーザ操作により、撮影パラメータの変更や撮影処理を行うように構成しても良い。
【００８５】
また、上述の実施形態では、ライブビュー画像表示領域Ｒ２外での操作を、撮影パラメータの値を保存して制御の中断するように構成したが、例えば、撮像画像を出力／記憶しないように構成してもよい。
具体的には、例えば、記憶制御部５６は、更に操作情報取得部５３によってライブビュー画像表示領域Ｒ２外での操作であり所定の箇所の特定の領域内でユーザ操作が解除されたと判定された場合、撮像部１６よって撮像された画像データを画像記憶部７１に記憶させないように構成することができる。
【００８６】
また、上述の実施形態では、短期間に複数回のタッチ操作（本実施形態においては、ダブルタップの操作）があった場合に、撮影パラメータを初期化するように構成したが、例えば、複数の指でのタッチ操作があった場合に撮影パラメータを初期化するように構成してもよい。
具体的には、撮像装置１は、撮影パラメータが変更された後、入力検出部５１により所定の箇所へ複数の指を用いたユーザ操作が検出されたか否かを判定する第３の判定手段を備える。撮影制御部５４は、第３の判定手段により所定の箇所へ複数の指を用いたタッチ操作が検出されたと判定された場合、撮影パラメータを初期化するように撮像部１６を制御するように構成することができる。
【００８７】
また、上述の実施形態では、光学ズームのように画像の中心に向けてズーム処理を行うように構成したが、最初にタッチされた場所を中心にズーム処理を行うように構成しても良い。
具体的には、撮像装置１は、入力部１７へのユーザによる接触操作が入力検出部５１により検出された際、ユーザが接触した場所を中心として、撮影制御部５４により、ズーム処理を行うように構成することが出来る。
【００８８】
また、上述の実施形態では、上下方向へのスライド操作で焦点距離を変更でき、下方向へのスライド操作で焦点距離を長く、上方向へのスライド操作で焦点距離を短くするように構成したが、これらの操作方向を逆にするよう構成しても良い。
【００８９】
また、上述の実施形態では、左右方向へのスライド操作でズーム倍率を変更でき、左方向へのスライド操作でズーム倍率を縮小し、右方向へのスライド操作でズーム倍率を拡大するように構成したが、これらの操作方向を逆にするよう構成しても良い。
【００９０】
また、上述の実施形態で、ユーザ操作により焦点距離を変更し、被写体に合焦した場合、音や振動などでユーザに合焦した旨を報知するよう構成しても良い。
【００９１】
また、上述の実施形態では、本発明が適用される撮像装置１は、デジタルカメラを例として説明したが、特にこれに限定されない。
例えば、本発明は、撮影処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００９２】
上述した一連の処理は、ハードウェアにより実行させることもできるし、ソフトウェアにより実行させることもできる。
換言すると、図５の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図５の例に限定されない。
また、１つの機能ブロックは、ハードウェア単体で構成してもよいし、ソフトウェア単体で構成してもよいし、それらの組み合わせで構成してもよい。
【００９３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９４】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００９５】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００９６】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００９７】
以下に、本願の出願当初の特許請求の範囲に記載された発明を付記する。
［付記１］
被写体を撮像し、画像データを取得する撮像手段と、
本撮像装置に関連する所定の箇所へのユーザ操作のパターンの情報を取得する情報取得手段と、
前記情報取得手段により取得された前記ユーザ操作のパターンの情報に基づき、前記撮像手段により撮像される被写体の撮影条件の変更を行う変更手段と、
前記所定の箇所におけるユーザ操作が解除されたか否かを判定する第１の判定手段と、
前記第１の判定手段により前記ユーザ操作が解除されたと判定された場合、前記変更手段により変更された撮影条件で前記撮像手段により取得された画像データを記録手段に記録させる記録制御手段と、
を備えたことを特徴とする撮像装置。
［付記２］
本撮像装置に関連する所定の箇所へのユーザ操作を検出する検出手段と、
前記検出手段により検出された前記ユーザ操作のパターンを判定する第２の判定手段と、
を更に備え、
前記情報取得手段は、前記第２の判定手段により判定された前記ユーザ操作のパターンを前記ユーザ操作のパターンの情報として取得する、
ことを特徴とする付記１に記載の撮像装置。
［付記３］
前記第２の判定手段は、前記所定の箇所への前記ユーザ操作のパターンが、前記所定の箇所に対して、第１の方向へのスライド操作か当該第１の方向とは異なる第２の方向へのスライド操作であるかを判定する、
ことを特徴とする付記２に記載の撮像装置。
［付記４］
前記変更手段は、前記所定の箇所へのユーザ操作のパターンが、前記所定の箇所に対して、前記第１の方向と前記第２の方向の中間の方向へのスライド操作であった場合、前記第１の方向へのスライド操作と前記第２の方向へのスライド操作との夫々に対応した撮影条件を変更する、
ことを特徴とする付記２又は３に記載の撮像装置。
［付記５］
前記変更手段は、前記第２の判定手段による前記所定の箇所への前記ユーザ操作のパターンの判定結果に基づいて、前記判定結果に対応した撮影条件を変更する、
ことを特徴とする付記２乃至４の何れか１つに記載の撮像装置。
［付記６］
前記変更手段は、変更される撮影条件としてズーム倍率、及び焦点距離を用いる、
ことを特徴とする付記２乃至５の何れか１つに記載の撮像装置。
［付記７］
前記変更手段は、前記所定の箇所内で前記ユーザ操作が前記検出手段により継続的に検出されている状態で当該所定の箇所内における前記ユーザ操作が前記検出手段により検出される位置の移動距離に応じた強さで、前記撮影条件を変更する、
ことを特徴とする付記２乃至６の何れか１つに記載の撮像装置。
［付記８］
前記撮像手段により逐次取得される被写体の画像データに対応するライブビュー画像を表示手段に表示させる表示制御手段と、
を更に備え、
前記検出手段は、更に、前記表示制御手段により前記ライブビュー画像が表示される前記表示手段が備える前記所定の箇所へのユーザ操作を検出する、
ことを特徴とする付記２乃至７の何れか１つに記載の撮像装置。
［付記９］
前記表示制御手段は、更に、前記変更手段によって撮影条件が変更される場合、当該撮影条件の情報を前記表示手段に表示させる、
ことを特徴とする付記８に記載の撮像装置。
［付記１０］
前記表示制御手段は、更に、前記撮影条件の情報として、前記変更される撮影条件の種類の名称と、前記変更される撮影条件の数値と、を前記表示手段に表示させる、
ことを特徴とする付記８又は９に記載の撮像装置。
［付記１１］
前記変更手段によって前記撮影条件が変更された後、前記検出手段により前記所定の箇所へ複数の指を用いたユーザ操作が検出されたか否かを判定する第３の判定手段と、
前記第３の判定手段により前記所定の箇所へ複数の指を用いたタッチ操作が検出されたと判定された場合、前記撮影条件を初期化する設定初期化手段を備える、
ことを特徴とする付記２乃至１０の何れか１つに記載の撮像装置。
［付記１２］
前記記録制御手段は、更に前記第１の判定手段によって前記所定の箇所の特定の領域内でユーザ操作が解除されたと判定された場合、前記撮像手段によって撮像された画像データを記録手段に記録させない、
ことを特徴とする付記１乃至１１の何れか１つに記載の撮像装置。
［付記１３］
前記変更手段により撮影条件が変更された後、更に前記第１の判定手段によって前記所定の箇所の特定の領域内でユーザ操作が解除されたと判定された場合、変更された撮影条件を保持する設定保持手段を備える、
ことを特徴とする付記１乃至１１の何れか１つに記載の撮像装置。
［付記１４］
被写体を撮像し、画像データを取得する撮像手段と、記録手段と、を備える撮像装置で実行される撮像制御方法であって、
本撮像装置に関連する所定の箇所へのユーザ操作のパターンの情報を取得する情報取得ステップと、
前記情報取得ステップにより取得された前記ユーザ操作のパターンの情報に基づき、前記撮像手段により撮像される被写体の撮影条件の変更を行う変更ステップと、
前記所定の箇所におけるユーザ操作が解除されたか否かを判定する第１の判定ステップと、
前記第１の判定ステップにより前記ユーザ操作が解除されたと判定された場合、前記変更ステップにより変更された撮影条件で前記撮像手段により取得された画像データを記録手段に記録させる記録制御ステップと、
を備えたことを特徴とする撮像制御方法。
［付記１５］
被写体を撮像し、画像データを取得する撮像手段と、記録手段と、を備える撮像装置を制御するコンピュータを、
本撮像装置に関連する所定の箇所へのユーザ操作のパターンの情報を取得する情報取得手段、
前記情報取得手段により取得された前記ユーザ操作のパターンの情報に基づき、前記撮像手段により撮像される被写体の撮影条件の変更を行う変更手段、
前記所定の箇所におけるユーザ操作が解除されたか否かを判定する第１の判定手段、
前記第１の判定手段により前記ユーザ操作が解除されたと判定された場合、前記変更手段により変更された撮影条件で前記撮像手段により取得された画像データを記録手段に記録させる記録制御手段、
として機能させることを特徴とするプログラム。
【符号の説明】
【００９８】
１・・・撮像装置，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・ドライブ，３１・・・リムーバブルメディア，５１・・・入力検出部，５２・・・モード設定部，５３・・・操作情報取得部，５４・・・撮影制御部，５５・・・出力制御部，５６・・・記憶制御部，７１・・・画像記憶部
【図１】
2016126160.tif 000003
【図３】
2016126160.tif 000004
【図４】
2016126160.tif 000005
【図５】
2016126160.tif 000006
【図６】
2016126160.tif 000007
【図７】
2016126160.tif 000008
【図２】
2016126160.tif 000009
【図８】
2016126160.tif 000010